(57)【要約】モバイル通信に関するページング制御を提供することがここに記述される。一例として、ページング制御は、定数の関数乗された整数（例えば、２＾Ｋまたは２＾（Ｋ−Ｌ）、ここでＫおよび／またはＬは一定である）に基づいた式から決定された無線信号のページングオケイジョンを含むことができる。選択されたページングオケイジョンは、無線信号内にグループ化されうるか、または信号の一部の時間フレーム全体にわたって分布することが可能である。その上、ページンググループは、各ページングオケイジョンに割り当てられたモバイルデバイスの異なる識別子を採用することによって、ページングオケイジョンの各々に割り当てられうる。様々なページングオケイジョンとページンググループとを採用することによって、フォールスアラームページが緩和されうる。少なくとも１つの態様によれば、システム情報は、セルワイドなページングに割り当てられた少なくとも１つのページンググループを採用することによって、複数のデバイス（例えば、セルにおける全てのデバイス）に効率的にブロードキャストされうる。
2010538584.tif 000002
【特許請求の範囲】
【請求項１】
無線ネットワークにおける遠隔デバイスをページングする方法であって、
無線信号を、定数乗された整数Ｉｎｔ＾Ｋとして定義された複数の信号時間フレームに分割し、
ページングオケイジョンとしてＮ個の前記信号時間フレームを選択することを具備し、Ｎは前記複数の信号時間フレームの一部である方法。
【請求項２】
前記ページングオケイジョンを選択するために次の式、
フレーム数 ｍｏｄ ２＾Ｋ＜＝Ｎ−１、または、
フレーム数 ｍｏｄ ２＾（Ｋ−Ｌ）＝０、
の少なくとも１つを採用することをさらに具備し、Ｌは前記無線信号のＮ個のページングオケイジョンを決定するために利用される定数である請求項１の方法。
【請求項３】
前記整数Ｉｎｔは、２である請求項１の方法。
【請求項４】
前記定数Ｋは、ＤＲＸサイクルの係数である請求項１の方法。
【請求項５】
遠隔デバイスに関する前記Ｎ個のページングオケイジョンのうちの１つを選択するために、式、
ページングオケイジョン＝（ＩＭＳＩ ｄｉｖ Ｌ）ｍｏｄ Ｎ
を採用することをさらに具備し、ＩＭＳＩは前記遠隔デバイスの国際移動電話加入者識別番号である請求項１の方法。
【請求項６】
ページングオケイジョンに関する複数のページンググループを割り当てることをさらに具備する請求項１の方法。
【請求項７】
前記複数のページンググループのうちの１つに遠隔デバイスの識別子を割り当て、
前記ページングオケイジョンの前記ページンググループで前記遠隔デバイスをページングすることをさらに具備する請求項６の方法。
【請求項８】
セルにおける全ての遠隔デバイスに関して共通識別を作成し、前記セルにおける全ての前記遠隔デバイスをページングするために指定されたページンググループにおいて前記共通識別を利用することをさらに具備する請求項１に記載の方法。
【請求項９】
無線ネットワークにおける遠隔デバイスをページングする装置であって、
無線信号を、定数乗された整数Ｉｎｔ＾Ｋとして定義された複数の信号時間フレームに分割するタイミングモジュールと、
ページングオケイジョンとしてＮ個の前記信号時間フレームを選択する選択モジュールと、を具備し、Ｎは前記複数の信号時間フレームの一部である装置。
【請求項１０】
前記無線信号のＤＲＸサイクルの連続的な一部分へ前記Ｎ個のページングオケイジョンをグループ化する割り当てモジュールと、
セルにおける全ての遠隔デバイスに関して共通識別を作成し、前記セルにおける全ての前記遠隔デバイスをページングするために指定されたページンググループにおいて前記共通識別を利用するブロードキャストモジュールと、をさらに具備する請求項９の装置。
【請求項１１】
次の式、
フレーム数 ｍｏｄ ２＾Ｋ＜＝Ｎ−１、または、
フレーム数 ｍｏｄ ２＾（Ｋ−Ｌ）＝０、
の少なくとも１つに基づいて、前記Ｎ個のページングオケイジョンを選択する計算モジュールをさらに具備する請求項９の装置。
【請求項１２】
前記計算モジュールは、遠隔デバイスに関する前記Ｎ個のページングオケイジョンのうちの１以上を選択するために、式、
ページングオケイジョン＝（ＩＭＳＩ ｄｉｖ Ｌ）ｍｏｄ Ｎ
を採用し、ＩＭＳＩは前記遠隔デバイスの国際移動電話加入者識別番号である請求項１１の装置。
【請求項１３】
前記タイミングモジュールは、前記整数Ｉｎｔとして２を採用する、または、前記定数ＫとしてＤＲＸサイクルの係数を採用することの少なくとも１つを行う請求項９の装置。
【請求項１４】
無線ネットワークにおける遠隔デバイスをページングするための装置であって、
無線信号を、定数乗された整数Ｉｎｔ＾Ｋとして定義された複数の信号時間フレームに分割する手段と、
ページングオケイジョンとしてＮ個の前記信号時間フレームを選択する手段と、を具備し、Ｎは前記複数の信号時間フレームの一部である装置。
【請求項１５】
前記無線信号のＤＲＸサイクルの連続的な一部分へ前記Ｎ個のページングオケイジョンをグループ化する手段と、
セルにおける全ての遠隔デバイスに関して共通識別を作成する手段と、
前記セルにおける全ての前記遠隔デバイスをページングするために指定されたページンググループにおいて前記共通識別を利用する手段と、をさらに具備する請求項１４の装置。
【請求項１６】
次の式、
フレーム数 ｍｏｄ ２＾Ｋ＜＝Ｎ−１、または、
フレーム数 ｍｏｄ ２＾（Ｋ−Ｌ）＝０、の少なくとも１つに基づいて、前記Ｎ個のページングオケイジョンを選択する手段をさらに具備する請求項１４の装置。
【請求項１７】
式、
ページングオケイジョン＝（ＩＭＳＩ ｄｉｖ Ｌ）ｍｏｄ Ｎ
を利用して、遠隔デバイスに関する前記Ｎ個のページングオケイジョンのうちの１以上を選択する手段をさらに具備し、ＩＭＳＩは前記遠隔デバイスの国際移動電話加入者識別番号である請求項１４の装置。
【請求項１８】
前記無線信号を分割する前記手段は、前記整数Ｉｎｔとして２を採用する手段、または、
前記定数ＫとしてＤＲＸサイクルの係数を採用する手段、を具備する請求項１４の装置。
【請求項１９】
無線ネットワークにおける遠隔デバイスをページングするためのコンピュータ読み取り可能な命令を具備するコンピュータ読み取り可能な媒体であって、前記命令は、少なくとも１つのコンピュータによって、
無線信号を、定数乗された整数Ｉｎｔ＾Ｋとして定義された複数の信号時間フレームに分割すること、
ページングオケイジョンとしてＮ個の前記信号時間フレームを選択することを実行可能にし、Ｎは前記信号時間フレームの一部であるコンピュータ読み取り可能な媒体。
【請求項２０】
無線通信に関するページング信号を識別する方法であって、
無線ネットワークとの無線通信を登録し、前記登録することは、モバイルデバイスの識別子を提出することを少なくとも具備し、
前記識別子に割り当てられたページンググループを得ることを具備し、前記ページンググループは、定数乗された２を具備する式から決定された一部の信号時間フレームから選択されたページングオケイジョンに関連する方法。
【請求項２１】
無線信号の前記信号時間フレームの間に分布する前記ページングオケイジョンの位置を受信し、
前記ページングオケイジョンに関連した前記ページンググループがページング信号を含むかどうかを決定し、
前記ページンググループが前記ページング信号を含む場合に、前記無線ネットワークへのアクセス手続きを開始することをさらに具備する請求項２０の方法。
【請求項２２】
ページングオケイジョン＝（識別子 ｄｉｖ Ｌ）ｍｏｄ Ｎ
である形式の式を採用することによって受信した無線信号における前記ページングオケイジョンを識別し、Ｌは前記無線信号のＮ個のページングオケイジョンを決定するために利用される定数であり、
前記ページンググループがページング信号を含むかどうかを決定し、
前記ページンググループが前記ページング信号を含む場合に、前記無線ネットワークへのアクセス手続きを開始することをさらに具備する請求項２０の方法。
【請求項２３】
無線通信に関するページング信号を識別するモバイルデバイスであって、
無線データ交換用のトランシーバと、
前記無線ネットワークに前記モバイルデバイスを登録すると共に無線ネットワークに前記モバイルデバイスの識別子を提供する通信プロセッサと、
前記識別子に割り当てられたページンググループを得る信号プロセッサと、を具備し、前記ページンググループは、定数乗された２を具備する式から決定された一部の信号時間フレームから選択されたページングオケイジョンに関連するモバイルデバイス。
【請求項２４】
受信した無線信号におけるページングオケイジョンを識別するために、
ページングオケイジョン＝（識別子 ｄｉｖ Ｌ） ｍｏｄ Ｎ
である形式の式を採用する計算モジュールと、Ｌは前記無線信号のＮ個の前記ページングオケイジョンを決定するために利用される定数であり、
前記ページングオケイジョンの前記ページンググループがページング信号を含むかどうかを決定するページング応答モジュールと、をさらに具備し、
前記通信プロセッサは、前記ページング応答モジュールが前記ページンググループは前記ページング信号を含むことを示す場合、前記無線ネットワークへのアクセス手続きを開始する請求項２３に記載のモバイルデバイス。
【請求項２５】
無線通信に関するページング信号を識別する装置であって、
無線ネットワークとの無線通信を登録する手段と、登録する前記手段は、モバイルデバイスの識別子を提出する手段を少なくとも具備し、
前記識別子に割り当てられたページンググループを得る手段と、を具備し、前記ページンググループは、定数乗された２を具備する式から決定された一部の信号時間フレームから選択されたページングオケイジョンに関連する装置。
【請求項２６】
無線信号の前記信号時間フレームの間に分布する前記ページングオケイジョンの位置を受信する手段と、
前記ページングオケイジョンに関連した前記ページンググループがページング信号を含むかどうかを決定する手段と、
前記ページンググループが前記ページング信号を含む場合に、前記無線ネットワークへのアクセス手続きを開始する手段と、をさらに具備する請求項２５の装置。
【請求項２７】
ページングオケイジョン＝（識別子 ｄｉｖ Ｌ） ｍｏｄ Ｎ
である形式の式を採用することによって受信した無線信号における前記ページングオケイジョンを識別する手段と、Ｌは前記無線信号のＮ個のページングオケイジョンを決定するために利用される定数であり、
前記ページンググループがページング信号を含むかどうかを決定する手段と、
前記ページンググループが前記ページング信号を含む場合に、前記無線ネットワークへのアクセス手続きを開始する手段と、をさらに具備する請求項２５の装置。
【請求項２８】
無線通信に関するページング信号を識別するコンピュータ読み取り可能な命令を具備するコンピュータ読み取り可能な媒体であって、前記命令は、少なくとも１つのコンピュータによって、
無線ネットワークとの無線通信を登録することと、登録はモバイルデバイスの識別子を提出することを少なくとも具備し、
前記識別子に割り当てられたページンググループを得ることを実行可能にし、前記ページンググループは、定数乗された２を具備する式から決定された一部の信号時間フレームから選択されたページングオケイジョンに関連するコンピュータ読み取り可能な媒体。
【発明の詳細な説明】
【技術分野】
【０００１】
以下は、一般に無線通信に関し、より詳細には、半計画または無計画されたワイヤレスアクセスネットワークに関する低減された干渉を円滑にする無線信号のプリアンブル設計に関する。
【０００２】
本特許出願は、これに関して譲受人に割り当てられ、参照することによりここに明確に組み込まれる、２００７年９月４日に出願された、ＡＳＳＩＧＮＩＮＧ  ＵＳＥＲ  ＤＥＶＩＣＥＳ  ＴＯ  ＰＡＧＩＮＧ  ＧＲＯＵＰＳ、と題された米国仮出願番号６０／９６９，８６６の優先権を主張する。
【背景技術】
【０００３】
無線通信システムは、例えば、音声コンテンツ、データコンテンツなどのような様々な種類の通信コンテンツを提供するために広く展開される。典型的な無線通信システムは、利用可能なシステムリソース（例えば、帯域幅、送信電力）を共有することによって複数のユーザとの通信をサポートすることができる多重接続システムでありうる。そのような多重接続システムの例は、符号分割多重接続（ＣＤＭＡ）システム、時分割多重接続（ＴＤＭＡ）システム、周波数分割多重接続（ＦＤＭＡ）システム、直交周波数分割多重接続（ＯＦＤＭＡ）システムおよび似たようなシステムを含むことができる。
【０００４】
一般的に、無線多重接続通信システムは、複数のモバイルデバイスに関する通信を同時にサポートすることができる。各モバイルデバイスは、フォワードリンクおよびリバースリンクでの送信を経て１以上の基地局と通信することができる。フォワードリンク（またはダウンリンク）は基地局からモバイルデバイスへの通信リンクを意味し、リバースリンク（またはアップリンク）はモバイルデバイスから基地局への通信リンクを意味する。さらに、モバイルデバイスと基地局との間の通信は、単入力単出力（ＳＩＳＯ）システム、多入力単出力（ＭＩＳＯ）システム、多入力多出力（ＭＩＭＯ）システム、その他を経て確立されうる。
【０００５】
使いやすいデバイスモビリティを円滑にするモバイルネットワーク技術の１つの機能は、モバイルデバイスのアイドル／アクティブモードである。アクティブな場合、モバイルデバイスは入力信号を処理し、応答信号を送信し、他のデバイスと遠隔音声および／またはデータ通信を円滑にすることができる。しかし、そのような活動（activity）は、かなりの量の電力を消費し、モバイルデバイスのバッテリ寿命を減少することがある。幸運にも、典型的なユーザは、周期的にアクティブデバイス通信にのみ従事する。それゆえ、かなりの電力は、未使用の期間中に受信した無線信号を処理しないことによって、温存されうる。
【０００６】
制限され、または処理しない期間は、アイドル期間と呼ばれる。
【０００７】
インバウンド通信を受信するために、（例えば、別のユーザがモバイルデバイスを呼び出すとき）モバイルデバイスは、そのような通信がモバイルデバイスのために保留であることを示す信号を処理することを要求される。しかし、アイドルの間、デバイスは信号をほとんどまたは全く処理せず、それゆえ、それらの信号を処理するために十分に長くアクティブにしなければ通信に失敗するだろう。アクティブ／アイドルモビリティを円滑にするために、モバイルデバイスが入力信号を処理するためにアクティブにする場合に、モバイルデバイスを供給する基地局は期間を調整する。これらの期間は、アイドルモードにおける平均モバイルデバイス処理および電力消費を減少させるために、短時間でかつ比較的珍しくありえる。モバイルデバイスに関するインバウンド通信が基地局で受信される場合、ページング信号は、モバイルデバイスがモニタする（例えば、信号をアクティブにし処理する）調整された期間の１以上でスケジューリングされ送信される。アクティブ信号処理の断続的な期間を調整することによって、モバイルデバイスは、かなりの処理パワーおよびバッテリ寿命を温存する間に、インバウンド通信を受信し識別することができる。そのような処理は、平均のモバイルデバイスユーザのために著しい実用性を提供し、モバイル通信の全体の利便性およびデバイスモビリティを高める。
【発明の概要】
【０００８】
以下は、そのような態様の基本的な理解を提供するために１以上の態様の簡略化された概要を提示する。この概要は、全ての意図された態様の広範囲な要約ではなく、全ての態様の重要な（key）または必須の要素を特定するでもなく、いずれかまたは全ての態様の範囲を線引きするでもないことを意図する。その唯一の目的は、後に提示されるより詳細な説明への前置きとして簡略化した形式で１以上の態様のいくつかの概念を提示することである。
【０００９】
主題開示は、直交周波数分割多重接続（ＯＦＤＭＡ）無線アクセスネットワーク（ＡＮ）と接続されたモバイルデバイスに関するページング制御を確立することを提供する。ページング制御を確立することは、定数乗された（例えば、２＾Ｋ、ここでＫは定数である）整数から決定された多くの時間フレームに無線信号を分割することを含む。加えて、ページングオケイジョンは、無線信号の時間フレームの一部分にスケジューリングされうる。ページングオケイジョンに関する時間フレームの選択は、定数の関数である累乗された整数を採用する式に基づきうる。選択されたページングオケイジョンは、無線信号の不連続な受信（ＤＲＸ）サイクル内にグループ化されうり、または上式に基づいた一部の時間フレーム全体にわたって分布する可能性がある。その上、１以上のページンググループは、ページングオケイジョンのそれぞれに割り当てられうる。ページンググループは、そのようなデバイスに割り当てられたページンググループを識別するために、モバイルデバイスによって利用されうる割り当てられたモバイルデバイスの識別子を含むことができる。モバイルデバイスに関するページング信号は、モバイルデバイスに割り当てられたページンググループに組み込まれる。様々なページングオケイジョンとページンググループとを採用することによって、フォールスアラームページは、そのようなフォールスアラームページに起因する、モバイルデバイスの電力消費を低減し、アップリンク（ＵＬ）干渉を低減するＯＦＤＭＡ無線ＡＮにおいて緩和されうる。少なくとも１つの主題開示の態様にしたがって、ＯＦＤＭＡ無線ＡＮはまた、無線ＡＮのセル内の全てのモバイルデバイスに割り当てられた識別子を含む少なくとも１つのページンググループを指定することができる。少なくとも１つのページンググループはその後、無線ＡＮによって開始された実質的に１つのページング信号で、セルにおける全てのデバイスをページングするのに利用されうる。したがって、ブロードキャストページングは無線信号の最小のリソースを利用して実装することができる。
【００１０】
付加的な態様によれば、無線ＡＮにおける遠隔デバイスをページングすることの方法が提供される。方法は、無線信号を、定数乗された整数Ｉｎｔ＾Ｋとして定義された複数の信号時間フレームに分割することを含むことができる。方法は、ページングオケイジョンとしてＮ個の信号時間フレーム（ここで、Ｎは複数の信号時間フレームの一部である）を選択することをさらに含むことができる。
【００１１】
他の態様によれば、無線ＡＮにおける遠隔デバイスをページングする装置が開示される。装置は、無線信号を、定数乗された整数Ｉｎｔ＾Ｋとして定義された複数の信号時間フレームに分割するタイミングモジュールを含むことができる。さらに、装置は、ページングオケイジョンとしてＮ個の信号時間フレームの（ここで、Ｎは複数の信号時間フレームの一部である）を選択することを含むことができる。
【００１２】
さらに別の態様によれば、無線ＡＮにおける遠隔デバイスをページングするための装置が提供される。装置は、無線信号を、定数乗された整数Ｉｎｔ＾Ｋとして定義された複数の信号時間フレームに分割する手段を含むことができる。その上、装置は、ページングオケイジョンとしてＮ個の信号時間フレーム（ここで、Ｎは複数の信号時間フレームの一部である）を選択する手段を含むことができる。
【００１３】
少なくとも１つのさらなる態様によれば、無線ＡＮにおける遠隔デバイスをページングするためのプロセッサが開示される。プロセッサは、無線信号を、定数乗された整数Ｉｎｔ＾Ｋとして定義された複数の信号時間フレームに分割することを含むことができる。プロセッサは、ページングオケイジョンとしてＮ個の信号時間フレーム（ここで、Ｎは複数の信号時間フレームの一部である）を選択することをさらに含むことができる。
【００１４】
１以上の他の態様によれば、無線ＡＮにおける遠隔デバイスをページングするためのコンピュータ読み取り可能な命令を含むコンピュータ読み取り可能な媒体が提供される。
【００１５】
命令は、少なくとも１つのコンピュータによって、無線信号を、定数乗された整数Ｉｎｔ＾Ｋとして定義された複数の信号時間フレームに分割することを実行可能にしうる。さらに、命令は、少なくとも１つのコンピュータによって、ページングオケイジョンとしてＮ個の信号時間フレーム（ここで、Ｎは複数の信号時間フレームの一部である）を選択することを実行可能にしうる。
【００１６】
１以上の付加的な態様によれば、無線通信に関するページング信号を識別することの方法が開示される。方法は、無線ＡＮとの無線通信を登録することを含むことができ、登録はモバイルデバイスの識別子を少なくとも提出することを含む。方法は、識別子に割り当てられたページンググループを得ることをさらに具備し、ページンググループは、定数乗された２を具備する式から決定された一部の信号時間フレームから選択されたページングオケイジョンに関連する。
【００１７】
他の態様によれば、無線通信に関してページング信号を識別するように構成されたモバイルデバイスが開示される。モバイルデバイスは、無線データ交換のためのトランシーバを含むことができる。モバイルデバイスは、無線ＡＮにモバイルデバイスを登録すると共に、無線ＡＮにモバイルデバイスの識別子を提供する通信プロセッサをさらに含むことができる。モバイルデバイスは、識別子に割り当てられたページンググループを得る信号プロセッサをさらに具備することができ、ページンググループは、定数乗された２を具備する式から決定された一部の信号時間フレームから選択されたページングオケイジョンに関連する。
【００１８】
さらに他の態様によれば、無線通信に関するページング信号を識別するように構成された装置が提供される。装置は、無線ＡＮとの無線通信を登録する手段を具備することができ、登録は、モバイルデバイスの識別子を少なくとも提出することを具備する。さらに、装置は、識別子に割り当てられたページンググループを得る手段を具備することができ、ページンググループは、定数乗された２を具備する式から決定された一部の信号時間フレームから選択されたページングオケイジョンに関連する。
【００１９】
１以上の追加の態様によれば、無線通信に関するページング信号を識別するように構成されたプロセッサが開示される。プロセッサは、無線ＡＮとの無線通信を登録する手段を具備することができ、登録は、モバイルデバイスの識別子を少なくとも提出することを具備する。プロセッサは、識別子に割り当てられたページンググループを得る手段をさらに具備することができ、ページンググループは、定数乗された２を具備する式から決定された一部の信号時間フレームから選択されたページングオケイジョンに関連する。
【００２０】
少なくとも１つの他の態様によれば、無線通信に関するページング信号を識別するように構成されたコンピュータ読み取り可能な命令を含むコンピュータ読み取り可能な媒体が提供される。命令は、少なくとも１つのコンピュータによって、無線ＡＮに無線通信を登録することを実行可能にし、登録は、モバイルデバイスの識別子を少なくとも提出することを具備する。さらに、命令は、少なくとも１つのコンピュータによって、識別子に割り当てられたページンググループを得ることを実行可能であり得、ページンググループは、定数乗された２を具備する式から決定された一部の信号時間フレームから選択されたページングオケイジョンに関連する。
【００２１】
上述したものおよび関連する目的達成のために、１つ以上の態様は、以下に完全に記述され、かつ特に特許請求の範囲の中で指摘される特徴を具備する。以下の記述および付属図面は、１つ以上の態様の詳細なある実例となる態様を記述している。しかし、これらの態様は様々な態様の方針が採用しうるほんの数例の様々な方法を示し、記述された態様はそのような態様およびそれらと同等なもの全てを含むことを意図する。
【図面の簡単な説明】
【００２２】
【図１】ここに説明された態様に従う無線通信を提供するシステム例のブロック図。
【図２】無線通信環境を備える採用に関する通信装置例のブロック図。
【図３】ここに開示された態様に従うＯＦＤＭＡ無線ＡＮのためのページング制御を提供するシステム例のブロック図。
【図４】主題開示の態様に従うＯＦＤＭＡ無線ＡＮのサンプルページング装置のブロック図。
【図５】主題開示の態様に従う無線信号ページングリソース例のブロック図。
【図６】ここに開示された１以上の態様に従うページングのための無線信号リソースのサンプル分布を示す図。
【図７】開示の少なくとも１つの態様に従う基地局を含むサンプルシステムのブロック図。
【図８】主題開示のさらなる態様にしたがってモバイルデバイスを含むシステム例のブロック図。
【図９】開示された態様に従うＯＦＤＭＡ無線ＡＮのためのページング制御を提供するための手順例のフローチャート。
【図１０】式に基づいた２つの電力から決定される無線信号のページングリソースを提供するための手順例のフローチャート。
【図１１】ＯＦＤＭＡ無線ＡＮにおけるページング制御を円滑にする手順例のフローチャート。
【図１２】ＯＦＤＭＡ無線ＡＮにおけるページング制御を提供するためのシステム例のブロック図。
【図１３】ＯＦＤＭＡ無線ＡＮにおけるページング制御を円滑にするシステム例のブロック図。
【発明を実施するための形態】
【００２３】
様々な態様では、図面を参照してここに記述され、参照番号などは全体にわたって構成要素などを参照するために用いられる。以下の記述では、説明のために、多数の具体的詳細が１以上の態様についての完全な理解を提供するために説明される。しかし、そのような１以上の態様がこれらの具体的詳細なしで実施することができることは明白でありうる。他の例では、よく知られている構造およびデバイスは、１以上の態様を記述することを円滑にするためにブロック図の形式で示される。
【００２４】
加えて、開示の様々な態様は以下に記述される。ここでの教示が幅広い種類の形式で具現化され得て、ここに開示された任意の特定構造および／または機能が単に表現するものであることを明らかにすべきである。ここでの教示に基づいて、当業者は、ここに開示された態様を任意の他の態様とは独立して実装することができ、これらの態様の２以上を様々な方法で結合することができることを理解すべきである。例えば、ここに説明される多くの態様を用いて、方法を実施することができ、および／または、装置を実装することができる。加えて、ここに説明される１以上の態様以外または１以上の態様に加えて、機能および／または他の構造を用いて、方法を実施することができ、および／または、装置を実装することができる。例えば、ここに記述される方法、デバイス、システムおよび装置の多くは、モバイル通信環境に関するデバイス指定の、およびシステム全体のページング制御を確立することとの関連で記述される。当業者は、同様の手法が他の通信環境に適用できうることを理解すべきである。
【００２５】
主題開示は、モバイル環境（例えば、ユニバーサル移動体通信システム［ＵＭＴＳ］、周波数分割多重接続［ＦＤＭＡ］、直交周波数分割多重接続［ＯＦＤＭＡ］、周波数分割多重［ＦＤＭ］、発展ＵＭＴＳ地上無線アクセスネットワーク［ｅ−ＵＴＲＡＮ］、および／またはモバイルアクセスネットワークのようなもの）に関するページング制御を提供する。特に、ページングに影響を及ぼす無線信号の一部分へユーザデバイスをハッシングすることが提供される。多くのユーザデバイスが、所定の時間で単一のネットワークアクセスポイントによって供給されうるので、ユーザデバイスに関するページングは、無線信号の複数の異なる一部分（例えば、リソース）において実施される。各ユーザデバイスは、異なる信号リソースに割り当てられることができ、ページング信号に関するそのようなリソースをモニタすることができる。少数のデバイスが、利用可能なページングリソースよりもアクセスポイントによって供給される場合、フォールスアラームページは回避されうる（例えば、複数のデバイスが、ページングされたデバイスのたった１つのためのインバウンドコールの結果としてページングされる場合）。利用可能なページングリソースよりも多くのユーザデバイスが供給される場合、必要ならば、複数のデバイスは、１つ以上のそのような異なる一部分に割り当てられることができる。これは、フォールスアラームページングをもたらしうるが、単一ページングリソースに割り当てられたデバイスに関してだけである。したがって、主題開示は、ＦＤＭ、ＦＤＭＡ、ＯＦＤＭＡおよび／またはモバイル環境のようなものにおいて、フォールスアラームページングのインスタンスを緩和するまたは回避することを提供する。
【００２６】
開示のいくつかの態様によれば、無線信号ページングリソースは、無線信号の多くの時間および／または識別に基づく一部分として定義される。例えば、信号は、複数の時間に基づくページングオケイジョンに分割されうる。ページングオケイジョンは、信号の不連続受信（ＤＲＸ）サイクルの時間フレームを含むことができる。いくつかの態様によれば、ページングオケイジョンは、時間フレームの一部分、または複数の時間フレームを含むことができる。前述のものに加えて、複数のページンググループは、無線信号に提供されうる。ページンググループは、モバイルデバイスの識別（例えば国際移動電話加入者識別番号［ＩＭＳＩ］、または、似たような識別子）に基づいて区別されうる。したがって、割り当てられた１０個のデバイスの１０個の一意的なＩＭＳＩは、そのようなデバイスに関する１０個の異なるページンググループを作り出すために採用されうる。ページンググループは、各デバイスに関するページング制御を区別するために用いられうる。そのようなやり方において提供されるページンググループは、ページンググループ識別またはページング指示無線ネットワーク識別子（ＰＩ−ＲＮＴＩ）と名付けることができる。
【００２７】
上で議論したように、ページンググループの使用は、ページングリソースの時間領域占有を制限することができる。しかし、もしページンググループ識別が（例えば、ＯＦＤＭＡシステムにおいて）Ｌ１／Ｌ２制御チャネルで送信され得て、それゆえページンググループ識別が共通識別空間から選び取られるとすれば、識別は同様に希少なリソースになりえる。その上、モバイルネットワークが、複数のページンググループに１つのＬ１／Ｌ２制御シグナリングにおいてページングされることを許可する場合、利用可能なＰＩ−ＲＮＴＩのサイズは比較的限定的になりうる。加えて、相違する時間フレームにおけるページング信号の分布は、集中的なアップリンク（ＵＬ）干渉を回避するのに役立ちうる。例えば、複数のデバイスがダウンリンク（ＤＬ）信号の単一時間フレームにおいてページングされる場合、そのようなデバイスは典型的に、ＤＬ時間フレームに対応する共通のＵＬ時間フレームにおいてランダムアクセス処理手続きを開始する。これは、ＵＬ時間フレームにおいて干渉をもたらすことがある。ページングが様々なＤＬ時間フレームにわたって分布する場合、ＵＬ干渉が緩和される。したがって、主題開示の少なくとも１つの態様では、無線信号の識別および時間に基づいたリソースは、制御可能なやり方で組み合わせて採用される。一例を挙げれば、ページング識別空間は、ページンググループ指示に用いられるＰＩ−ＲＮＴＩの範囲をシグナリングすることにより、Ｌ３プロトコルを経て制御されうる。
【００２８】
時間に基づくページングオケイジョンに関して、ページングに利用されるフレーム（または、例えば、サブフレーム、フレームのグループ）の数は、限定的になりえる。一例を挙げれば、識別および時間に基づくページングシステムは、‘Ｎ’個の時間に基づくページングオケイジョンリソースと、‘Ｍ’個の識別に基づくページンググループとを含むことができ、ここで、‘Ｎ’および‘Ｍ’は整数である。 ‘Ｍ’および‘Ｎ’の値は、システム情報（例えば、制御チャネル情報）を備えた無線信号において、ブロードキャストされたシステムパラメータになりえる。（例えば、ユーザのＩＭＳＩに基づいた）ページングオケイジョンおよび／またはページンググループにモバイルデバイスを割り当てるために利用されるハッシュ関数もまた、システム情報においてブロードキャストされうる。主題開示の特定の態様によれば、ページングリソース（例えば、ページングオケイジョンおよび／またはページンググループ）の選択は、定数乗された整数を含む式に基づきうる。少なくとも１つの態様では、整数は２であり得、結果として２の累乗式となる。少なくとも１つの他のそのような態様では、累乗は、無線信号のＤＲＸサイクルに関する定数でありえる。定数乗された整数（例えば、２の累乗式）を採用することによって、ページングは他のシステムとより互換性をもてるようになりえる。それゆえ、以下により詳細に記述されるように、ＯＦＤＭＡアクセスポイントによって供給されるセルに参加するモバイルデバイスは、ページングリソースにすぐに統合されうる。
【００２９】
ここに開示されるように、ページングに利用される、選択された時間に基づく信号リソースは、相違する方法において無線信号の一部分にスケジューリングされうる。一例を挙げれば、選択された時間に基づく一部分は、無線信号のＤＲＸサイクルの連続的なセグメントにグループ化されうる。連続的なセグメントの位置、長さ、分割数などは、システム情報でブロードキャストされうる。システム情報を得た後に、１以上のモバイルデバイスは、ページングリソースを解釈することができ、そのモバイルデバイスに関するページング信号に割り当てられたリソースを識別することができる。他の態様では、時間に基づくページングリソースは、２の累乗式を利用する無線信号から選択されうる。そのようなリソースは、例えば、式の一定値などを用いた特定の式に依存して、ＤＲＸサイクルを通じて分布しうる。分布した時間に基づくページングリソースの位置もまた、ページング信号を解釈する仕方をモバイルデバイスに命令するために、システム情報においてブロードキャストされうる。
【００３０】
フォールスアラームページングの発生を低減するためにページングオケイジョンとページンググループとでユーザをハッシングすることが有益である上に、セルワイドページングはまた、利点がありうる。例えば、セルにおける全てのモバイルデバイスに関係のあるシステム情報が更新されることになっている場合、単一のページングリソース（または、例えば、少数のページングリソース）で全てのそのようなデバイスをページングすることは、システム情報を分配する効率的なやり方になりえる。いくつかのシステムでは、（例えば、（１以上の）ページング指標チャネルがシステム全体のページングに関して１以上のビットを採用することができる場合での、符号分割多重接続［ＣＤＭＡ］、広帯域ＣＤＭＡ［Ｗ−ＣＤＭＡ］において）専用のシステム全体のリソースは、必要ではない。ＰＩ−ＲＮＴＩシステムがＬ１／Ｌ２制御チャネルで送信されるＥ−ＵＴＲＡＮまたはそのようなシステムに関して、例えば、システム全体のリソース専用であることは、必ずしも実現可能ではない。代替として、主題開示は、システム全体のページング（例えば、“全てのデバイスをページングする”リソース）に関して、特別なＰＩ−ＲＮＴＩ、またはページンググループリソースを採用することを提供する。そのような代替によれば、システム全体の情報を配信する全てのページンググループとページングオケイジョンとをページングすることは必要でない。代わりに、ユーザデバイスは、専用または半専用のＰＩ−ＲＮＴＩに加えて特別のＰＩ−ＲＮＴＩを認識するように構成されうる。したがって、ユーザデバイスは、デバイス指定のページング情報と同様に、システム全体のページング情報も含むことができる両方のＰＩ−ＲＮＴＩにおける信号をそれぞれ処理することができる。
【００３１】
主題開示において用いられるように、用語“コンポーネント”、“システム”、“モジュール”などは、コンピュータ関連のエンティティであり、ハードウェア、ソフトウェア、実行中のソフトウェア、ファームウェア、ミドルウェア、マイクロコード、および／またはそれらの任意の組み合わせのいずれかを参照するように意図される。例えば、モジュールは、プロセッサで実行中のプロセス、プロセッサ、オブジェクト、実行ファイル、実行のスレッド、プログラム、デバイス、および／またはコンピュータでありうるが、それ自体に限定されない。１以上のモジュールは、処理内および／または実行のスレッド内に属することができ、モジュールは、１つの電子デバイスに局在されうるし、かつ／または２以上の電子デバイス間に分配されうる。さらに、これらのモジュールは、それらに記憶された様々なデータ構造を有する様々なコンピュータ読み取り可能な媒体から実行することができる。モジュールは、１以上のデータパケット（例えば、ローカルシステム、分散システムにおける別のコンポーネントと相互作用する１つのコンポーネントからのデータ、および／または、信号によって他のシステムと交信するインターネットのようなネットワークを行き交うデータ）を有する信号に従うような、ローカルおよび／または遠隔処理を経由して通信することができる。さらに、ここに記述されたシステムのコンポーネントまたはモジュールは、当業者によって理解されるように、それらに関して記述され、任意の図で説明される正確な構成に限定されずに、様々な態様、目標、利点などを達成することを円滑にするために、付加的なコンポーネント／モジュール／システムによって補完されおよび／または再配置されうる。
【００３２】
その上、様々な態様は、ユーザ端末−ＵＴに関連してここに記述される。ＵＴは、システム、加入者ユニット、加入者設備、移動局、モバイル、モバイル通信デバイス、モバイルデバイス、遠隔ステーション、遠隔端末、アクセス端末（ＡＴ）、ユーザエージェント（ＵＡ）、ユーザデバイスまたはユーザ機器（ＵＥ）と呼ばれうる。加入者設備は、携帯電話、コードレス電話、セッション設定プロトコル（ＳＩＰ）電話、ワイヤレスローカルループ（ＷＬＬ）局、パーソナルデジタルアシスタンス（ＰＤＡ）、無線接続能力を有するハンドヘルドデバイス、または、無線モデムに接続された他の処理デバイスまたは処理デバイスとの無線通信を円滑にする同様のメカニズムでありうる。
【００３３】
１以上の一例となる実施形態では、記述された機能は、ハードウェア、ソフトウェア、ファームウェア、ミドルウェア、マイクロコード、またはそれらの適切な組合せで実装されうる。ソフトウェアに実装される場合、機能は、コンピュータ読み取り可能な媒体での１以上の命令またはコードとして送信され、格納されうる。コンピュータで読み取り可能な媒体は、１つの場所から別の場所へのコンピュータプログラムの転送を円滑にする任意の媒体を含む通信媒体およびコンピュータ記憶媒体の両方を含む。記憶媒体は、コンピュータによってアクセスされうる任意の物理的媒体でもあってもよい。例として、そのようなコンピュータ読み取り可能な媒体は、ＲＡＭ、ＲＯＭ、ＥＥＰＲＯＭ、ＣＤ−ＲＯＭまたは他の光学ディスク記憶装置、磁気ディスク記憶装置、スマートカード、フラッシュメモリデバイス（例えば、カード、スティック、キードライブなど）、または、命令またはデータ構造の形式における所望のプログラムコードを格納しまたは運ぶために用いられ得、コンピュータによってアクセスされうる任意の他の媒体を含むことができるが、限定されない。加えて、任意の接続は、コンピュータ読み取り可能な媒体に正確に付与される。例えば、ソフトウェアが、同軸ケーブル、光ファイバーケーブル、ツイストペア、デジタル加入者回線（ＤＳＬ）、または赤外線、無線およびマイクロ波のような無線技術を用いるウェブサイト、サーバまたは他のリモートソースから送られる場合、同軸ケーブル、光ファイバーケーブル、ツイストペア、ＤＳＬ、または赤外線、無線およびマイクロ波のような無線技術は、媒体の定義に含まれる。ここで用いられるディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスクおよびブルーレイディスクを含み、ディスク（disk）は通常磁気的にデータを再生する一方、ディスク（disc）はレーザで光学的にデータを再生する。上記の組合せはまた、コンピュータで読み取り可能な媒体の範囲内に含まれるべきである。
【００３４】
ハードウェア実装のために、ここに開示された態様に関連して記述された処理ユニットの様々な実例となる論理、論理ブロック、モジュールおよび回路は、１つ以上の特定用途向けＩＣ（ＡＳＩＣ）、デジタル信号プロセッサ（ＤＳＰ）、デジタル信号処理装置（ＤＳＰＤ）、プログラム可能論理回路（ＰＬＤ）、フィールドプログラマブルゲートアレイ（ＦＰＧＡ）、離散ゲート（discrete gate）またはトランジスタ論理回路（transistor logic）、離散ハードウェアコンポーネント、汎用プロセッサ、コントローラ、マイクロコントローラ、マイクロプロセッサ、ここに記述した機能を行うために設計された他の電子ユニット、あるいはそれらの組み合わせの中で行われ、または実装されうる。多目的プロセッサは、マイクロプロセッサでありえるが、代替的に、プロセッサは任意の標準のプロセッサ、コントローラ、マイクロコントローラまたは状態マシンでありうる。プロセッサはまた、コンピュータ、コンピューティングデバイスの組み合わせとして、例えば、ＤＳＰとマイクロプロセッサとの組合せ、複数のマイクロプロセッサ、ＤＳＰコアと併せた１以上のマイクロプロセッサ、または任意の適した構成として実装されうる。さらに、少なくとも１つのプロセッサは、ここに記述された１以上のステップおよび動作を行うために動作可能な１以上のモジュールを含むことができる。
【００３５】
その上、ここに記述される様々な態様または特徴は、標準的なプログラミングおよび／またはエンジニアリング手法を用いる方法、装置または製造品として実装されうる。さらに、ここに開示された態様に関連して記述されるアルゴリズムまたは方法の、動作および／またはステップは、ハードウェアで、プロセッサによって実行されるソフトウェアモジュールで、またはその２つの組合せで直接具体化されうる。さらに、いくつかの態様では、アルゴリズムまたは方法の、動作および／またはステップは、コンピュータプログラム製品に組み込まれうるコンピュータ読み取り可能な媒体および／または機械読み取り可能な媒体での命令および／またはコードのセットまたは少なくとも１つまたは任意の組み合わせとして属することができる。ここで用いられるような用語「製造品」は、任意のコンピュータ読み取り可能なデバイスまたは媒体からアクセス可能なコンピュータプログラムを含むことを目的としている。
【００３６】
さらに、語“一例となる”は、例、事例、実例として供給することを意味するために、ここに用いられる。“一例となる”としてここに記述される任意の態様または設計は、必ずしも他の態様または設計で好まれるまたは有利であるとして解釈されるべきではない。むしろ、語“一例となる”の用法は、具体的なやり方において概念を提示することを目的とする。この出願で用いられるように、用語“または”は、排他的な“または”よりむしろ包括的な“ｏｒ”を意味することを目的とする。つまり、文脈から明らかであるか、ほかに指定されない限り、“ＸはＡまたはＢを採用する”は、任意の自然な包括的置換を意味することを意図している。加えて、この出願および付属の特許請求の範囲で用いられるような冠詞“ａ”と“ａｎ”とは、単数形であると指示されることが文脈から明らかであるか、ほかに指定されない限り、“１以上の”を意味するとして一般的に解釈されるべきである。
【００３７】
ここに用いられるように、用語“推定する”または“推定”は、イベントおよび／またはデータを経て捕らえられるように観測のセットからのユーザ、および／または、環境、システムの状態を推定すること、または、推理法を一般的にいう。推定は、例えば、指定の文脈または動作を識別するために採用されえ、または状態での確率分布を生成することができる。推定は、確率的−つまり、データおよびイベントの考慮に基づいた関心のある状態での確率分布の計算でありうる。推定はまた、イベントおよび／またはデータのセットからより高いレベルのイベントを構成するために採用された手法を参照することができる。そのような推定は、イベントが密接した時間的近接性（close temporal proximity）で関連するかどうか、イベントおよびデータが１つまたはいくつかのイベントおよびデータソースに由来するかどうか、観測されたイベントおよび／または記憶されたイベントデータのセットからの新しいイベントまたは動作の構成に起因する。
【００３８】
ここで図面を参照して、図１は、例えば１以上の態様とともに利用されうるような、複数の基地局１１０（例えば、無線ＡＰ）および複数の端末１２０（例えば、ＵＴ）を備える無線通信システム１００を示す。基地局（１１０）は、一般的に、端末と通信し、アクセスポイント、ノードＢまたはいくつかの他の用語で呼ばれうる固定局である。各基地局１１０は、図１の中の１０２ａ、１０２ｂおよび１０２ｃとラベル付けされた３つの地理的エリアとして示される、特定の地理的エリアまたはサービスエリアに関する通信サービスエリアを提供する。用語“セル”は、用語が用いられる文脈に依存して、基地局および／またはそのサービスエリアを参照することができる。システム能力を改善するために、基地局地理的エリア／サービスエリアは、複数のより小さなエリア（例えば、図１のセル１０２ａによる、３つのより小さなエリア）、１０４ａ、１０４ｂおよび１０４ｃに分割されうる。それぞれのより小さなエリア（１０４ａ、１０４ｂ、１０４ｃ）は、それぞれのベーストランシーバサブシステム（ＢＴＳ）によって供給されうる。用語“セクタ”は、用語が用いられる文脈にしたがって、ＢＴＳおよび／またはそのサービスエリアを意味することができる。セクタ化されたセルに関して、そのセルの全てのセクタに関するＢＴＳは、セルに関する基地局内で典型的に同一の場所に配置される。ここに記述された送信手法は、セクタ化されていないセルを備えるシステムと同様に、セクタ化されたセルを備えるシステムに用いられうる。簡単のために、以下の記述において、特に指定されない限り、用語“基地局”は、セルを供給する固定局と同様に、セクタを供給する固定局に一般的に用いられる。
【００３９】
端末１２０は、システムを通して典型的に分散され、各端末１２０は、固定されうるか、または移動式でありえる。上に記述したように、端末１２０は移動局、ユーザ機器、ユーザデバイスまたはいくつかの他の用語で呼ばれうる。端末１２０は、無線デバイス、携帯電話、パーソナルデジタルアシスタント（ＰＤＡ）、無線モデムカードなどでありうる。各端末１２０は、任意の所定の瞬間でダウンリンク（例えば、ＦＬ）およびアップリンク（例えば、ＲＬ）で、ゼロ、１または複数の基地局１１０で通信することができる。ダウンリンクは、基地局から端末への通信リンクを意味し、インバウンド通信を示すページング信号とページング制御情報（例えば、様々な端末１２０のページングリソースを識別すること）を少なくとも含むことができる。アップリンクは、端末から基地局への通信リンクを意味し、端末１２０に関連するページング信号に応じて端末１２０により初期化されるシステムアクセス信号を少なくとも含むことができる。
【００４０】
集中化したアーキテクチャに関して、システムコントローラ１３０は、基地局１１０に接続し、基地局１１０に調整および制御を提供する。分散したアーキテクチャに関して、基地局１１０は、必要に応じて（例えば、基地局１１０と通信的に接続するバックホールネットワークを通って）お互いに通信することができる。フォワードリンクでのデータ送信は、１つのアクセスポイントから１つのアクセス端末に、フォワードリンクおよび／または通信システムによってサポートされうる最大データレートで、または最大データレート付近でしばしば起こる。フォワードリンクの追加チャネル（例えば、制御チャネル、ページングリソース）は、複数のアクセスポイントから１つのアクセス端末に送信されうる。リバースリンクデータ通信は、１つのアクセス端末から１以上のアクセスポイントで起こることがある。
【００４１】
図２は、様々な態様に従うアドホックまたは無計画／半計画された無線通信環境２００の図である。システム２００は、無線通信信号を互いにおよび／または１以上のモバイルデバイス２０４に受信し、送信し、繰り返す１以上のセルおよび／またはセクタに、１以上の基地局２０２を含むことができる。示されるように、各基地局２０２は、２０６ａ、２０６ｂ、２０６ｃおよび２０６ｄとラベル付けされた４つの地理的エリアとして示される、特定の地理的エリアに通信サービスエリアを提供することができる。各基地局２０２は、送信機チェーンおよび受信機チェーンを含むことができ、それぞれは、言い換えると（in turn）、当業者によって理解されるように、信号の送信および受信に関連する複数のコンポーネント（例えば、プロセッサ、変調器、マルチプレクサ、復号化器、デマルチプレクサ、アンテナなど）を含むことができる。モバイルデバイス２０４は、例えば、携帯電話、スマートフォン、ラップトップ、ハンドヘルド通信デバイス、ハンドヘルドコンピューティングデバイス、衛星ラジオ、汎地球測位システム、ＰＤＡおよび／または無線ネットワーク２００で通信するための任意の他の適切なデバイスでありうる。ここで説明されるように、システム２００は、ＦＤＭ、ＦＤＭＡ、ＯＦＤＭＡ、Ｅ−ＵＴＲＡＮまたはモバイルネットワークのようなものに関するページング制御を提供するために、主題開示の様々な態様とともに採用されうる。
【００４２】
図３は、モバイル動作環境における無線通信に関するページング制御を提供するシステム例３００のブロック図を示す。システム３００は、モバイル動作環境のアクセスポイント３０６（例えば、基地局）に接続されたページング装置３０２を具備する。アクセスポイント３０６は、１以上のモバイルデバイス３０４のために無線通信を円滑にする。例えば、アクセスポイント３０６は、遠隔デバイス（例えば、データ蓄積、データサーバ、アプリケーションサーバなど）を備えたデータ通信を円滑にするデータネットワーク（例えば、描かれないが、インターネット、個人のイントラネットなど）と同様に、遠隔デバイスと音声通信を円滑にする音声ネットワーク（例えば、描かれないが、携帯電話ネットワーク、公衆交換電話網、ボイスオーバインターネットプロトコル［ＶｏＩＰ］ネットワーク）でモバイルデバイス３０４に接続することができる。
【００４３】
モバイルデバイス３０４がデータおよび／または音声通信にアクティブに従事する場合、技術的に知られるように（例えば、以下図８を参照）、典型的な通信および処理機能はそのような通信を円滑にするためにデバイス３０４で採用される。データおよび／または音声通信にアクティブに従事していないときに、モバイルデバイス３０４は、デバイス処理および関連する電力消費を削減するために有効な期間に関するアイドル（idle）状態に入ることができる。アイドルの場合、アクセスポイント３０６によって送信された情報は、モバイルデバイス３０４によってほとんど処理されない。しかし、インバウンドコールを識別するために、デバイス３０４は、モバイルデバイス３０４に関係のあるページング信号に関して、アクセスポイント３０６によって送信された一部の無線信号をモニタすることができる。信号のどの一部がページング信号を含むか、またそれゆえ、信号のどの一部でモバイルデバイス３０４はモニタすべきかの調整は、ページング装置３０２によって確立することができる。
【００４４】
主題開示の少なくともいくつかの態様によれば、ページング装置３０２は、少なくとも複数の信号時間フレームに、アクセスポイント３０６によって送信された無線信号３１６を分割するタイミングモジュール３０８を含むことができる。信号時間フレームは、無線信号３１６の複数のＤＲＸサイクルのために、例えば周期的に繰り返しうる。各信号時間フレームは、同期情報（例えば、同期パイロット信号、プライマリ同期シーケンス［ＰＳＳ］、セカンダリ同期シーケンス［ＳＳＳ］）、制御チャネル情報、ページング情報、トラフィックデータなどのような、相違する情報を伝達するために採用されうる。選択モジュール３１０によって決定された無線信号３１６の一部の信号時間フレームは、アクセスポイント３０６（例えば、以下図６を参照）によって供給されたモバイルデバイス（３０４）のページング制御情報を含むことができる。ページング制御情報を含む各時間フレームは、ページングオケイジョンと名付けられうる。選択モジュール３１０は、様々な選択式を採用することによって無線信号３１６の使用可能な時間フレームからページングオケイジョンを決定することができる。
【００４５】
主題開示の少なくとも１つの態様では、タイミングモジュール３０８は、１サイクル（例えば、アクセスポイント３０６で実装されたネットワークアーキテクチャに適するような、ＤＲＸサイクル、信号スーパーフレームなど）当たりの無線信号３１６の時間フレームの数Ｚを決定するために、定数乗された整数（例えば、Ｉｎｔ＾Ｋ、ここでＩｎｔが整数であり、Ｋが定数である）を含む式を採用することができる。そのような態様では、選択モジュール３１０は、Ｚ個の時間フレームからのページングオケイジョンの数Ｎを決定するために、整数および／または定数に基づいて異なる式を採用することができる。
【００４６】
無線信号３１６内のページングオケイジョンの位置は、ページングオケイジョンを選択するために選択モジュール３１０によって利用された式から決定されうる。あるいは、ページングオケイジョンの位置は、初期位置でありうる。主題開示の一態様では、位置は、無線信号３１６（例えば、以下図６のシステム６００Ａを参照）の連続的な一部分へグループ化されうる。別の態様において、位置は、ページングオケイジョン（例えば、以下図６のシステム６００Ｂを参照）を選択する選択式によって決定されるように、無線信号全体にわたって分配されうる。ページングオケイジョンの数、位置、長さなどは、モバイルデバイス３０４に関係のある特定のページングオケイジョン／ページンググループと同様に、モバイルデバイス３０４に送信されうる。
【００４７】
ページング装置３０２は、送信プロセッサ３１２をさらに含むことができる。送信プロセッサ３１２は、アクセスポイント３０６に関する様々な無線通信を実行することができる。一態様では、送信プロセッサ３１２は、無線信号３１６へ制御チャネル情報をスケジューリングすることができる。制御チャネル情報は、無線信号３１６のページングリソース（例えば、ページングオケイジョン／ページンググループ）を識別することを含むシステム情報を指定することができる。少なくとも一態様では、送信プロセッサ３１２は、モバイルデバイス３０４に割り当てられた特定のページングリソースを識別することができる。そのようなリソースは、モバイルデバイス３０４の識別子を採用する選択アルゴリズムに基づいて、確立されたページングリソースから決定されうる。識別子は、例えば、移動加入者識別子［ＭＳＩ］、ＩＭＳＩ、データセッション識別子（例えば、移動通信ネットワークデータアドレス、インターネットプロトコル［ＩＰ］アドレスなど）、またはモバイルデバイス３０４を供給するモバイルネットワークによって指定された識別子、１以上の識別子のようなもの、またはそれらの組み合わせでありうる。開示の少なくとも一態様によれば、送信プロセッサ３１２は以下の式に基づいてモバイルデバイス３０４にページングリソースを選択することができる。
【００４８】
ページングオケイジョン＝（ＩＭＳＩ ｄｉｖ Ｌ） ｍｏｄ Ｎ
ここで、Ｎは無線信号３１６のページングオケイジョンの合計数である。アクセスポイント３０６に接続されたバイルデバイス（３０４）へのページングリソースの割り当ては、モバイルデバイス（３０４）の適切な識別子と同様に、メモリ３１４に記憶されうる。割り当ては、例えば、アクセスポイント３０６に接続されたモバイルデバイス（３０４）にブロードキャストすることができるリストとして保持されうる。いくつかの態様では、モバイルデバイス３０４への１以上のページングリソースの割り当ては、決定されて、そのようなデバイス３０４にユニキャストされうる。したがって、送信プロセッサは、モバイルデバイス３０４と無線信号３１６のページングリソースとを調整することができ、デバイス３０４にアイドルモードにおいて受信信号の一部分だけを処理することを可能にし、処理パワーおよびバッテリ寿命を著しく節約する。
【００４９】
図４は、主題開示の態様に従うＯＦＤＭＡ無線ＡＮに関するサンプルページング装置４００のブロック図を表す。いくつかの態様では、ページング装置４００は、基地局に関するページング制御を提供するために、無線ＡＮ（例えば、Ｅ−ＵＴＲＡＮ）の基地局（描かれず）と接続されうる。他の態様では、ページング装置４００は、無線ＡＮの複数の基地局に関するページング制御を提供するために、中央制御器（例えば、上の図１、１３０参照）に接続されうる。ページング装置４００によって提供されるページング制御は、システム情報をブロードキャストすることに関する全てのそのようなデバイスによって共有される１以上の信号リソースと同様に、無線ＡＮの１以上のアクセスポイントによって供給された１以上のモバイルデバイスのために専用のページングリソースを含むことができる。したがって、ここに記述されおよび／または技術的に知られているように、ページング装置４００は、デバイスとともにページングリソースを調整することによって、モバイルデバイスのための低消費電力アイドルモードを円滑にすることができる。
【００５０】
ページング装置４００は、複数の時間フレームの中へ無線ＡＮのアクセスポイントによって送信された無線信号を分割するタイミングモジュール４０２を含むことができる。開示のいくつかの態様では、例えば信号ごとまたはＤＲＸサイクルごとの多くのそのような時間フレームは、（例えば、定数が無線信号のＤＲＸサイクルから決定される場合）定数乗された整数（例えば、２）を含むアルゴリズムに基づきうる。ページング装置４００は、１以上のモバイルデバイスに関するページング信号を送信するために利用されるページングオケイジョンの数を選択する選択モジュール４０４をさらに含むことができる。ページングオケイジョン数Ｎは、一部の時間フレーム数であり、ここで記述されたように選択されうる。
【００５１】
ページング装置４００は、無線信号の連続する一部分にページングオケイジョンをグループ化することができる割り当てモジュール４０６をさらに含むことができる。連続する一部分は、無線信号の各ＤＲＸサイクルに関して繰り返されうる。一例を挙げれば、割り当てモジュール４０６は、無線信号の、選択されたＤＲＸサイクル、周期的なＤＲＸサイクル、各ＤＲＸサイクルなどの、第１のＮ個の時間フレーム（また例えば、別の適切な連続的な一部分）にＮ個のページングオケイジョンをスケジューリングすることができる。
【００５２】
あるいは、前述のものに加えて、ページング装置４００は、計算モジュール４０８を含むことができる。計算モジュール４０８は、定数（例えば、ＤＲＸサイクル係数、サイクルにおけるフレームの数、サイクル長、または他の適した定数）の累乗された整数Ｉｎｔを採用する式に基づいて、（例えば、連続的な配置に対立するものとして）ページングオケイジョンの分散配置を決定することができる。ある態様では、整数は、無線信号（または、例えばＤＲＸサイクル）の信号時間フレームを定義するためにタイミングモジュール４０２によって採用された同じ整数でありうる。特定の態様によれば、整数は２であり、定数はＤＲＸサイクル定数でありうる。
【００５３】
前述の特定の限定されない例として、計算モジュール４０８は、フレーム数 ｍｏｄ Ｉｎｔ＾Ｋ＜＝Ｎ−１である形式の式を採用することによりＮ個のページングオケイジョンを選択しかつ／または整えることができる。ここで、フレーム数は特定のフレーム（例えば、他のフレームに関するフレームの順序）の識別子であり、Ｉｎｔは、無線信号３１６の時間フレームの数Ｚを決定するためにタイミングモジュール４０２によって利用される整数であり、ＫはＤＲＸサイクル定数である。主題開示の少なくとも１つの態様では、無線信号３１６のサイクルが２＾Ｋ時間フレームを含み、ページングオケイジョンが、フレーム数 ｍｏｄ ２＾Ｋ＜＝Ｎ−１である式から決定されるように、Ｉｎｔ＝２である。前述のものの代替例として、ページングオケイジョンは次の式、フレーム数 ｍｏｄ Ｉｎｔ＾（Ｋ−Ｌ）＝０から決定されうる。それゆえ、Ｉｎｔ＝２の場合の態様では、ページングオケイジョンはフレーム数 ｍｏｄ ２＾（Ｋ−Ｌ）＝０に基づいて決定される。様々な式は、前述例の式に加えて、またはその代わりにページングオケイジョンを整えるために計算モジュール４０８によって利用されうることを理解すべきである。したがって、前述の式は、ここに明確な特定の形式に主題開示を制限することとして解釈すべきではない。むしろ、主題開示に提供された文脈を通して当業者に明らかであり、または技術的に知られているページングオケイジョンを選択するためのメカニズムのようなものが、ここに組み込まれる。
【００５４】
前述のものに加えて、計算モジュール４０８は、アクセスポイントによって供給されたモバイルデバイスにページングオケイジョンを割り当てることができ、その逆も然りである。ページングオケイジョンの割り当ては、モバイルデバイスの識別子に基づきうる。例えば、一意的なＩＭＳＩは、特定のモバイルデバイスに関するページングオケイジョンを決定するために利用しうる。一例を挙げれば、形式（ＩＭＳＩ ｄｉｖ Ｌ）ｍｏｄ Ｎのアルゴリズムは、モバイルデバイスに関するページングオケイジョンを選択するために計算モジュール４０８によって利用しうる。しかしながら、他の適切な例が、モバイルデバイスにページングオケイジョンを割り当てることに関して存在することを理解すべきである。技術的に知られている、またはここに提供される文脈を通じて、当業者に知られるようになったそのような例は、主題開示に組み込まれる。
【００５５】
ページング装置４００は、グルーピングモジュール４１０をさらに含むことができる。グルーピングモジュール４１０は、移動通信ネットワーク（例えば、Ｅ−ＵＴＲＡＮ、ＯＦＤＭＡなど）の無線信号に関するページンググループ（ＰＩ−ＲＮＴＩ）を提供することができる。ページンググループは、ページングオケイジョンに割り当てられたモバイルデバイスの識別子に基づいて、少なくとも部分的に提供されうる。例えば、共通ページングオケイジョンのページンググループは、（例えば、計算モジュール４０８よって）ページングオケイジョンに割り当てられたデバイスの異なるモバイルデバイス識別子を採用することにより区別されうる。したがって、グルーピングモジュール４１０は、識別に基づくページングリソースに時間に基づくページングリソースをさらに分割することができる。そのような分割は、モバイルデバイスにページング信号を送ることに適した、異なるリソースの数を増やすことができ、（例えば、単一のページングリソースに割り当てられた複数のデバイスに起因して）そのようなデバイスでページングフォールスアラームのインスタンスを削減することができる。
【００５６】
前述のものに加えて、ページング装置４００は、ブロードキャストモジュール４１２を含むことができる。ブロードキャストモジュール４１２は、最小の信号リソースを利用するシステム全体のページングを円滑にするように構成される。ある態様では、ブロードキャストモジュール４１２は、無線アクセスポイントによって供給されたセルにおける、全ての遠隔デバイスのために共通識別を生成することができる。共通識別は、無線信号の選択された１以上のＰＩ−ＲＮＴＩリソースに関連付けられうる。その上、選択された１以上のＰＩ−ＲＮＴＩは、セルにおける全てのモバイルデバイスに関するページングチャネルとしてシステム制御情報に分配されうる。そのため、モバイルデバイスは、上に議論されたように、計算モジュール４０８によってモバイルデバイスに割り当てられた１以上の専用のＰＩ−ＲＮＴＩと同様に、選択されたＰＩ−ＲＮＴＩをモニタすることができる。したがって、システム情報は、選択されたＰＩ−ＲＮＴＩを通じて得られ、デバイス特定の情報（例えば、インバウンドコール）は、専用の１以上のＰＩ−ＲＮＴＩを通じて得られうる。
【００５７】
ページング装置４０２は、プロセッサ４１４とメモリ４１６とをさらに含むことができる。プロセッサ４１４は、アクセスポイント、または無線ＡＮのアクセスポイントによって供給されたモバイルデバイスにページング制御情報を広めるように構成されうる。ページング制御情報は、同期データ、制御チャネルデータなどと共にブロードキャストされうる。情報は、アクセスポイント、無線信号におけるそのようなリソースの位置、および情報のようなものによって利用されるページングリソースのリスト（例えば、ページングオケイジョンおよび／またはＰＩ−ＲＮＴＩ）を含むことができる。ここに記述されたように、情報は、無線信号の時間フレームを決定し、ページングオケイジョンを選択し、デバイスにページングオケイジョンを割り当てるために利用されたアルゴリズムのような、または、ＰＩ−ＲＮＴＩを生成しおよび／または信号リソースをデバイスに割り当てるために利用されるモバイルデバイス識別子のような他の妥当なデータとともに、メモリ４１６に記憶されうる。したがって、ページング装置４００は、主題開示のいくつかの態様において、ＯＦＤＭＡ、Ｅ−ＵＴＲＡＮ、またはモバイル通信ネットワークのようなものに関してシステムページングを実装し、広め、保持するために適切なページングシステムを含むことができる。
【００５８】
図５は、主題開示の態様に従う無線信号ページングリソース例のブロック図を示す。具体的には、図５は、無線信号のページングリソースの２次元配列５００を示す。アレイ５００は、“Ｎ”個のページングオケイジョンおよび“Ｍ”個のページンググループ（例えば、ＰＩ−ＲＮＴＩ）を含むことができる。ページングオケイジョンは、ここで利用されるように、時間フレームのような無線信号の時間に基づくセグメントを含むことができる。ページンググループは、ここに利用されるように、ページングセグメントの識別に基づく分割を含むことができる。ページングリソースは、アレイ５００のページングオケイジョン／ページンググループ交差ブロックに相当する。それゆえ、アレイ５００は“Ｍ”ｘ“Ｎ”ページングリソースを含み、したがって、“Ｍ”ｘ“Ｎ”モバイルデバイスに関して、実質的に“Ｍ”ｘ“Ｎ”の異なるページングリソースを提供することができる。主題開示のいくつかの態様では、少なくとも１つのページングリソースは、特定のセルによって供給された全てのデバイスに関するシステム情報のブロードキャストページングのために確保されうる。
【００５９】
各ページングオケイジョンの“Ｍ”個のページンググループを区別するために、モバイルデバイス識別子５０６は、ページングリソースアレイ５００の各リソースブロックに割り当てられうる。それゆえ、したがって、ＩＭＳＩ、ＭＳＩ、ＩＰアドレス、メディアアクセス制御（ＭＡＣ）、または、モバイルデバイスの他の適切な識別子は、そのような識別子が、（例えば、他のデバイスが同じ文脈において同じ識別子を有さないような）全体的に、または、（例えば、任意のアクセスポイントに接続され、任意のモバイルネットワークおよび／または同じようなものによって供給され、他のデバイスが任意のある時点で同じ識別子を有さないような）局所的にデバイスに一意的であるかどうかで、ページンググループリソースを区別するために採用されうる。セルワイドなブロードキャストページング信号のために確保されたページングリソースに関して、共通識別子は、ネットワークコンポーネントによって確保されたページングリソースに割り当られ、セルにおける各デバイスに提供されうる。したがって、そのようなデバイスは、共通識別子を少なくとも部分的に利用して、システム全体のページングを識別することができる。
【００６０】
開示の付加的な態様によれば、ページングリソースの割り当ては、モバイルデバイスへのＤＬ信号において提供されうる。一例を挙げれば、全てのリソースのページング配置は、全てのデバイスにブロードキャストされうる。ブロードキャストは、受信デバイス（例えば、ＩＭＳＩ）の識別子に基づいて、割り当てられたページングリソースを識別するためにアルゴリズムをさらに指定することができる。したがって、そのような態様では、モバイルデバイスは、１以上のどのページングリソースがインバウンド通信のためにモニタすべきかを識別するために、アルゴリズムを採用することができる。加えて、ブロードキャストは、セルの全てのデバイスによってモニタされ処理されるべきシステム全体のページングリソースを識別することができる。代替的に、または付加的に、アクセスポイントは、１以上のページングリソース、およびそのデバイスに関係のあるそのような１以上のリソースの１以上の位置を指定するモバイルデバイスに、ユニキャストメッセージを送ることができる。そのような態様では、モバイルデバイスは簡単にページングリソース情報を受信することができ、インバウンド通信の指示を得るために指定されたリソースをモニタすることができる。
【００６１】
図６は、主題開示の１以上の態様に従う無線信号ページングリソースのサンプル分布（６００Ａ、６００Ｂ）を描く。分布６００Ａ、６００Ｂは、ここに記述されたように決定されたページングオケイジョンを割り当てる／選択するための代替メカニズムを描く。第１分布６００Ａでは、ページングオケイジョンは無線信号の少なくとも１つの連続的な一部分へグループ化される。一部分は、無線信号の複数のＤＲＸサイクル、選択されたＤＲＸサイクルなどにおいて繰り返されうる。開示の特定の態様において、ページングオケイジョンに利用された信号の時間フレームの数Ｎは、２の累乗アルゴリズム（例えば、Ｎ＝２＾Ｌ）に基づいて決定されうる。一旦決定されたならば、ページングオケイジョンは、ＤＲＸサイクルの１以上の連続的な一部分へグループ化される。主題開示の少なくとも１つの態様では、次の式、フレーム数 ｍｏｄ ２＾Ｋ＜＝Ｎ−１は、数および／または無線信号内でグループ化されたページングオケイジョンの位置を決定するために利用されうる。１以上の連続的な一部分の位置は、ブロードキャストメッセージング、ユニキャストメッセージングまたはそれらの組み合わせなどを利用する遠隔デバイスに送信されうる。その上、１以上の連続的な一部分は、無線信号の単一サイクルに含まれ、複数のサイクルに周期的に含まれ、選択された複数のサイクルに含まれ、複数のサイクルなどへ変調されうる。
【００６２】
分布６００Ｂは、ページングオケイジョンの分散された処理を示す。複数のＮ個のページングオケイジョンは、２の累乗アルゴリズムに基づいて選択されうる。２の累乗アルゴリズムは、例えば、ページングリソースに関する無線信号の特定の時間セグメントを選択するために利用されうる。特定の態様では、基本整数２は、アルゴリズムにおいて定数Ｋ乗されうる。ここで、Ｋは、（例えば、合計時間フレームの数２＾Ｋに基づいて）無線信号のＤＲＸサイクルの長さから決定される。少なくとも１つの態様によれば、次の式は、分散されたページングオケイジョンを決定するために利用されうる。
【００６３】
（１）フレーム数 ｍｏｄ ２＾（Ｋ−Ｌ）＝０。
【００６４】
ページングオケイジョンは、選択されたページングオケイジョンのフレーム数に基づいて無線信号のＤＲＸサイクルを通じて分散されうる。
【００６５】
分布配置（６００Ａ、６００Ｂ）は、無線ＡＮのアクセスポイントに接続されたモバイルデバイスに提出されうる。加えて、デバイスは、適切であるページングリソースを提供するために利用されうるアクセスポイント識別子情報に提出することができる。分布情報を共有することによって、モバイルデバイスは、どのページングリソースがそのようなデバイスに割り当てられるかを決定することができる。したがって、モバイルデバイスは、アクティブな音声またはデータ通信に参加しないときにアイドルモードに入ることができ、モバイルデバイスに関係のある無線信号のページングオケイジョンだけ実質的にモニタする。
【００６６】
図７は、開示の少なくとも１つの態様に従う基地局７０２を含むサンプルシステム７００のブロック図を表す。基地局７０２は、１以上のＡＴ７０４（例えば、モバイルデバイス）に関するページング制御を提供するように構成されうる。例えば、基地局７０２は送信機７２４および１以上の送信アンテナ７０８によって送信された無線信号に関するページングリソースを提供するように構成されうる。ページングリソースは、ここに記述されまたは技術的に知られているように、ページングオケイジョン、ページンググループなどを含むことができる。
【００６７】
基地局７０２（例えば、アクセスポイント、…）は、１以上の受信アンテナ７０６を通じて１以上のＡＴ７０４からの１以上の信号（例えば、オーバーエア［ＯＴＡ］メッセージ）を受信する受信機７１０を含むことができ、送信機７２４は、１以上の送信アンテナ７０８通じて１以上のＡＴ７０４に変調器７２２によって提供される、変調された信号を送信する。受信機７１０は、受信アンテナ７０６から情報を受信することができ、１以上のＵＴ７０４によって送信されたアップリンクデータを受信する信号受け手（signal recipient）（図示せず）をさらに含むことができる。さらに、受信機７１０は受信した情報を復調する復調器７１２と動作可能に関連する。復調されたシンボルは、プロセッサ７１４によって分析される。プロセッサ７１４は、基地局７０２で提供される機能に関する情報を記憶するメモリ７１６に接続される。１つの例では、記憶された情報は、モバイルデバイス７０４との無線通信の性能指標を決定しおよび／または得るためのプロトコルを含むことができる。そのような機能は、送信信号に関する時間に基づくセグメントを定義することを含むことができる。その上、機能は、ここに記述されるように、（例えば、アルゴリズムに基づく２の累乗を利用して）複数の時間に基づくセグメントからページングオケイジョンを選択し、ページンググループを提供し、１以上のＡＴ７０４から識別子情報を得て、ページンググループを確立する際に識別子情報を採用し、１以上のページングオケイジョンおよび／またはページンググループに１以上のＡＴ７０４を割り当て、セルワイドなページング信号に関する共通のページングオケイジョン／グループを提供するなどを含むことができる。
【００６８】
加えて、プロセッサ７１４とメモリ７１６とは、通信プロセッサ７２０と接続されうる。通信プロセッサ７２０は、基地局７０２によって送信された無線信号にページングチャネル配置をスケジューリングすることができる。ページングチャネル配置は、１以上のＡＴ７０４にブロードキャストするか、１以上の特定のＡＴにユニキャストされうる。したがって、１以上のＡＴ７０４は、ページングチャネル配置を受信し、基地局７０２からのページング信号を得るために無線信号のどの一部分をモニタすべきかを決定することができる。
【００６９】
図８は、モバイル通信環境における無線通信を円滑にするように構成されたモバイル端末８０２を含むシステム例８００のブロック図を表す。モバイル端末８０２は、無線ＡＮ（例えば、ＦＤＭ、ＦＤＭＡ、ＯＦＤＭＡ、Ｅ−ＵＴＲＡＮ）の１以上の基地局８０４（例えば、アクセスポイント）と無線で接続されるように構成されうる。技術的に知られているように、モバイル端末８０２は、ＤＬチャネルで基地局８０４からの無線信号（例えば、ＯＴＡメッセージ）を受信することができ、ＵＬチャネルで無線信号に応答することができる。加えて、モバイル端末８０２は、基地局８０４に、ＵＬチャネルでモバイル端末８０２に関係のある識別子を提出することができる。識別子は、一意的な識別子（例えば、ＩＭＳＩ、ＭＡＣアドレス）、または基地局８０４に接続された他のモバイルデバイスに関して異なる半一意的な識別子（例えば、ＭＳＩ、ＩＰアドレス、データセッション識別子など）でありえる。さらに、モバイル端末８０２は、基地局８０４によって提供される信号からページング制御配置を識別する情報を抽出することができる。開示の少なくとも１つの態様では、ページング制御配置は、モバイル端末８０２の識別子に少なくとも部分的に基づきうる。さらなる態様にしたがって、モバイル端末８０２は、基地局８０４からモバイル端末８０２に割り当てられたページングリソースを決定するために識別子に基づいた式を採用することができる。さらに別の態様によれば、ページング制御配置は、（例えば、モバイル端末８０２にＤＬ信号において提供された共通識別子を採用する）基地局８０４に接続された全ての遠隔デバイス（８０２）に適用可能なユニバーサルページングリソースを含むことができる。
【００７０】
モバイル端末８０２は、信号を受信する少なくとも１本のアンテナ８０６（例えば、入力インタフェースを含むそのような受信機のグループまたは送信受信機）と、受信信号に典型的な動作（例えば、フィルタする、増幅する、ダウンコンバートするなど）を行う１以上の受信機８０８とを含む。一般的に、アンテナ８０６と送信機８２２（まとめてトランシーバと呼ばれる）は、１以上の基地局８０４と無線データ交換を円滑にするように構成されうる。少なくともいくつかの態様によれば、１以上の通信信号プロセッサ８１２は、基地局８０４に送信機８２２によって送信されたＵＬ信号へ、モバイルデバイス８０２の識別子をスケジューリングすることができる。そのようなＵＬ信号は、例えば、基地局８０４に関連した無線ＡＮ（図示せず）を備えたモバイルデバイス８０２を登録することと共に送信されうる。
【００７１】
アンテナ８０６と１以上の受信機８０８とはまた、受信シンボルを復調することができ、評価のために１以上の通信プロセッサ８１２にそれらを提供することができる復調器８１０と接続されうる。１以上の通信プロセッサ８１２は、モバイル端末８０２の１以上のコンポーネント（８０６、８０８、８１０、８１４、８１６、８１８、８２０、８２２）を参照付けおよび／または制御することができることを理解すべきである。さらに、１以上の通信プロセッサ８１２は、ここに記述されるように、基地局８０４によって提供されるページング制御に関係のある制御または情報を含む、１以上のモジュール、アプリケーション、エンジンなど（８１６と８１８）を実行することができる。
【００７２】
モバイル端末８０２は、１以上の通信プロセッサ８１２に動作可能に接続されるメモリ８１４をさらに含むことができる。メモリ８１４は、遠隔デバイス（８０４）との無線通信を実施するのに適した命令と、受信され、送信されるべきデータと、および似たようなデータとを記憶することができる。さらに、メモリ８１４は、上の１以上の通信プロセッサ８１２によって実行される、モジュール、アプリケーション、エンジンなど（８１４、８１８、８２０、８２２）を記憶することができる。
【００７３】
通信プロセッサ８１２は、１以上の通信プロセッサ８１２によって提出された識別子に割り当てられたページンググループを得る信号プロセッサ（８１２）をさらに含むことができる。ある態様では、ページンググループは、ＤＬ信号の一部の信号時間フレームから選択されたページングオケイジョンと関連しうる。信号時間フレームは、定数乗された整数（例えば、２または他の適合する整数）を含む式から決定されうる（例えば、そのような定数はＤＬ信号に関連したＤＲＸサイクルから決定される）。
【００７４】
前述のものに加えて、信号プロセッサ（８１２）は、ＤＬ信号内のページングオケイジョンおよび／またはページンググループの位置を得ることができる。その上、信号プロセッサ（８１２）は、モバイル端末８０２に関するページング信号を識別することを円滑にするためにページンググループ／オケイジョンをモニタすることができる。ある態様では、ページンググループ／オケイジョンの位置は、ページングリソースのために確保されたＤＬ信号の連続したセグメントの一部分になりえる。他の態様では、ページンググループ／オケイジョンは、そのような信号の分配された識別／時間に基づく一部分になりえる。ページング応答モジュール８１６は、ページンググループ／オケイジョンから情報を抽出し、ページング信号がそこに含まれるかどうかを決定することができる。ページング信号が存在する場合、１以上の通信プロセッサ８１２は、無線ＡＮへのアクセス手続き、例えば、モバイル端末８０２がインバウンド通信を受信する準備ができていることに関連したネットワークコンポーネントおよび／または基地局８０４に通知することを開始することができる。
【００７５】
主題開示の少なくとも１つの態様では、モバイルデバイス８０２は、通信プロセッサ８１２によって提出された識別子に基づいてモバイルデバイス８０２に関連したページングオケイジョンを識別することができる計算モジュール８１８をさらに含むことができる。計算モジュール８１８は、ページングオケイジョンを識別するために指定された式を利用することができる。指定された式は、メモリ８１４に記憶され、基地局８０４などによってＤＬ信号に提供されうる。一例を挙げれば、式は形式、ページングオケイジョン＝  （識別子 ｄｉｖ Ｌ） ｍｏｄ Ｎから成りうる。ここで、ＬはＤＬ信号のページングオケイジョンの数Ｎを決定するために利用される定数である。上に議論したように、一旦モバイルデバイス８０２に関連したページングオケイジョンが識別されれば、ページング応答モジュール８１６は、ページングオケイジョンに関連したページンググループがページング信号を含むかどうかを決定することができる。そうであるならば、通信プロセッサは、基地局８０４に接続された他の通信ネットワークまたは無線ＡＮへのアクセス手続きを開始することができる。
【００７６】
上述のシステムは、いくつかのコンポーネント、モジュールおよび／または通信インタフェース間の相互作用に関して記述されている。そのようなシステムおよびコンポーネント／モジュール／インタフェースは、それらに指定されたサブコンポーネントまたはそれらのコンポーネント、一部分の指定されたコンポーネントまたはサブコンポーネント、および／または付加的なコンポーネントを含むことができることを理解すべきである。例えば、システムは、ページング装置３０２、基地局７０２、およびモバイル端末８０２、またはこれらおよび他のコンポーネントの相違する組合せを含んでもよい。サブコンポーネントはまた、親コンポーネント内に含まれるというよりはむしろ、他のコンポーネントと通信可能に接続されるモジュールとして実装されてもよい。さらに、１以上のコンポーネントが、集約機能を提供している単一コンポーネントに結合されうることに留意すべきである。例えば、タイミングモジュール４０２は、無線信号を複数の時間部分へ分割し、単一コンポーネントを通じて（例えば、２の累乗に基づくアルゴリズムを採用して）そのような時間部分から１以上のページングオケイジョンを選択することを円滑にするために選択モジュール４０４を含むことができ、またはその逆も然りである。コンポーネントはまた、ここに特に記述されないが当業者によって知られている、１以上の他のコンポーネントと相互作用することもできる。
【００７７】
その上、理解されうるように、上に開示されたシステムおよび以下の方法の様々な一部分は、人工知能、機械学習、または知識またはルールに基づいたコンポーネント、サブコンポーネント、処理、手段、手順またはメカニズム（例えば、サポートベクタマシン、ニューラルネットワーク、エキスパートシステム、ベイジアン信念ネットワーク、ファジー理論、データ融合エンジン、分類器、…）から構成されてもよいし、または含んでもよい。そのようなコンポーネントは、とりわけ、およびここに既に記述されたものを加えて、効率的かつ知的であると同様に、より適応できるシステムおよび方法の一部分をつくるために、それによって行なわれたあるメカニズムまたは処理を自動化することができる。
【００７８】
上に記述された一例となるシステムを考慮して、開示された主題にしたがって実装されてもよい手順は、図９−１１のフローチャートに関してより良く理解されるだろう。説明の簡単化のため、手順が一連のブロックとして示され記述される一方、いくつかのブロックは、ここに表され記述されるものから他のブロックと相違する順番または同時に起こってもよいように、クレームされた主題は、ブロックの順番に限定されないことが了解され理解されるべきである。その上、図示された全てブロックが、ここに記述された手順を実装するために要求されるとは限らなくてもよい。加えて、この明細書全体および以下に開示された手順は、そのような手順をコンピュータに転送しおよび移送することを容易にするための製造品に記憶されることができることをさらに理解すべきである。用語“装置”および“製造品”は、用いられるように、任意のコンピュータ読み取り可能なデバイス、キャリアまたは記憶媒体と連結するデバイスからアクセス可能なコンピュータプログラムを含むように意図される。
【００７９】
図９は、ここに開示された態様に従うＯＦＤＭＡ無線ＡＮに関するページング制御を提供するための方法例９００のフローチャートを表現する。９０２では、方法９００は、無線信号を複数の信号時間フレームに分割することができる。信号時間フレームの数は、定数乗された整数に基づきうる。いくつかの態様では、整数は、２または他の適合する整数でありうる。さらに、いくつかの態様では、定数は、無線信号のＤＲＸサイクルに関連した定数を含むことができる。信号時間フレームを生成するためにそのような式を採用することによって、デバイスは、分割された無線信号を採用する無線ネットワークに効率的に出入りすることができる。
【００８０】
９０４では、方法９００は、ページングオケイジョンとしてＮ個の信号時間フレームを選択することができる。さらに、Ｎは一部の信号時間フレームでありうる。信号時間フレームは、モバイル通信に関するページング制御を確立するとともに、様々な遠隔デバイスに割り当てられうる。そのような通信は、ＦＤＭ、ＦＤＭＡ、ＯＦＤＭＡ、Ｅ−ＵＴＲＡＮなど通信および／またはアクセスネットワークのような、モバイル通信ネットワークに関連するプロトコルに従いうる。ページングは、モバイル通信ネットワークに通信可能に接続されるモバイルデバイスについて、効率的なアイドルモビリティおよび電力削減を円滑にするために利用されうる。
【００８１】
図１０は、２の累乗に基づく式から決定された無線信号のページングリソースを提供するための方法例１０００のフローチャートを示す。１００２では、方法１０００は、ここに記述され、以下に議論されるように、２の累乗を利用する無線信号の信号時間フレームからの信号ページングオケイジョンを決定することができる。１００４では、方法１０００は、式に基づく一部の信号時間フレームからＮ個のページングオケイジョンを選択することができる。１００６では、ページングオケイジョンが、無線信号（例えば、信号のＤＲＸサイクルの１以上の連続的な信号時間フレームにおいて）内でグループ化されるか、無線信号全体にわたって分散されるかどうかに関して決定がなされる。もしグループ化される場合、方法１０００は１００８に進むことができ、そうでなければ、方法１０００は１０１２に進むことができる。
【００８２】
１００８では、方法１０００は、第１の２の累乗の式に基づいて無線信号の時間フレームからページングオケイジョンのセットを選択することができる。主題開示のいくつかの態様では、ここに記述されるように、２の累乗の式は、フレーム数 ｍｏｄ ２＾Ｋ＜＝Ｎ−１でありうる。１０１０では、方法１０００は、無線信号のＤＲＸサイクルの一部分にページングオケイジョンの選択されたセットをグループ化することができる。いくつかの態様では、一部分は、無線信号の複数のＤＲＸサイクルにおいて繰り返されうる。例えば、ページングオケイジョンは、周期的に複数のＤＲＸサイクルの一部分でありうる。別の例では、ページングオケイジョンは、他のサイクルではなく、選択ＤＲＸサイクルにおいて存在しうる。ページングオケイジョングループが複数のＤＲＸサイクル内で変調される様々な適切な配置は、主題開示の範囲内として意図されることを理解すべきである。参照番号１０１０から、方法１０００は１０１６に進むことができる。
【００８３】
１０１２では、方法１０００は、第２の２の累乗の式に基づいた無線信号の時間フレームから分配されたページングオケイジョンのセットを選択することができる。主題開示のいくつかの態様では、２の累乗の式は、ここに記述されるように、フレーム数 ｍｏｄ ２＾（Ｋ−Ｌ）＝０でありうる。１０１４では、方法１０００は、２の累乗の式によって決定されるような無線信号の１以上の信号時間フレーム全体わたって、セットのページングオケイジョンに分散することができる。例えば、式は、どのＤＲＸサイクルの信号時間フレームがページングオケイジョンに割り当てられるかを選択するために利用されうる。
【００８４】
方法１０００は、１０１４から１０１６に進むことができる。
【００８５】
１０１６では、方法１０００は、決定したページングオケイジョンに関して複数のページンググループを割り当てることができる。開示のいくつかの態様では、ページンググループは、ページンググループに割り当てられた１以上のモバイルデバイスの識別子を利用して区別されうる。したがって、方法１０００は、ここに記述されるように、ページングリソースの時間および／または識別に基づいた割り当てを提供することができる。１０１８では、方法１０００は、無線ＡＮのアクセスポイントによって供給された全ての遠隔デバイスに関して、共通ページングチャネルグループを作成することができる。ページングチャネルは、全てのそのような遠隔デバイスにシステム情報を効率的にブロードキャストするために利用されうる。したがって、手順は、そのような各デバイスのために少なくとも１つのページングチャネル、専用チャンネル、共通チャネルまたは両方を提供する。
【００８６】
図１１は、ＯＦＤＭＡ無線ＡＮにおけるページング制御を円滑にする方法例１１００のフローチャートを描く。方法１１００は、１１０２で、無線ＡＮとの無線通信を登録することができる。登録は、例えば、無線ＡＮにモバイルデバイスの識別子（例えば、ＩＭＳＩ）を提出することを少なくとも含むことができる。１１０４では、方法１１００は、識別子に割り当てられたページンググループを得ることができる。ページンググループは、少なくとも１つの例では、無線信号に関する多くの利用可能なページンググループとモバイルデバイスの識別子とに基づいて、決定されうる。１つの特定例では、ページンググループは、ＩＭＳＩモードＭのようなアルゴリズムから得ることができる。ここで、Ｍは利用可能なページンググループの数である。ページンググループは、ＤＬチャネルで提出され、モバイルデバイスで１以上のアンテナと受信機とによって受信されうる加えて、ページンググループは、ＤＬチャネルのページングオケイジョンと関連しうる。そのようなページングオケイジョンは、（例えば、無線信号のＤＲＸサイクルから決定された）定数乗された整数（例えば、２）を含む式からさらに決定されうる。
【００８７】
１１０６では、方法１１００は、識別子に割り当てられた受信ページンググループをモニタすることができる。１１０８では、方法１１００は、ページング信号がページンググループ関して対処されたリソースに含まれるかどうかを決定することができる。そうならば、１１１０では、方法１１００は、無線ＡＮへのアクセス手続きを開始することができる。アクセス手続きは、モバイルデバイスが特定の基地局を経て到達され、モバイルデバイスがそのようなデバイスに関してインバウンド通信を受信する準備ができているＡＮに、通知することができる。
【００８８】
図１２は、ＯＦＤＭＡ無線ＡＮにおけるページング制御を提供するためのシステム例１２００のブロック図を示す。システム１２００は、無線信号を複数の信号時間フレームに分割するモジュール１２０２を含むことができる。モジュール１２００は、例えば、定数乗された整数を含む式に基づいて多くのそのような信号時間フレームを決定することができる。少なくとも１つの態様では、整数は、ローカルシステム（例えば、ＦＤＭ、ＯＦＤＭＡ、Ｅ−ＵＴＲＡＮなど）へ外部システム（例えば、ＣＤＭＡ、Ｗ−ＣＤＭＡ）からのモバイルデバイスの効率的な統合を提供する、２または他の適切な整数を含むことができる。さらに、定数乗は、無線信号に関連したＤＲＸサイクルから少なくとも部分的に決定された定数Ｋを含むことができる。上述のものに加えて、システム１２００は、信号時間フレームからページングオケイジョンを選択するモジュール１２０４を含むことができる。いくつかの態様では、モジュール１２０４は、ページングオケイジョンとして一部の信号時間フレームを選択することができる。その上、ページングオケイジョンは、モジュール１２０４によって、信号の時間フレームの１以上の連続的なグループのような（または、例えば、そのような信号の１以上のＤＲＸサイクルの）無線信号の様々な一部分に、または、２の累乗に基づく式から決定された分散した時間フレームに、スケジュールされうる。一例を挙げれば、連続時間フレームは、式、フレーム数 ｍｏｄ ２＾Ｋ＜＝Ｎ−１に基づいて選択されうる。少なくとも１つの代替例において、分散した時間フレームは式、フレーム数 ｍｏｄ ２＾（Ｋ−Ｌ）＝０に基づいて選択されうる。１以上の連続する一部分であろうと分散していようと、信号内のページングオケイジョンの配置は、遠隔デバイスとシステム１２００との間のページングチャネルの同期を円滑にするために、遠隔デバイス（描かれず）に提供されうる。
【００８９】
図１３は、ＯＦＤＭＡ無線ＡＮにおけるページング制御を円滑にするサンプルシステム１３００のブロック図を示す。システム１３００は、無線通信に関して登録するためのモジュール１３０２を含むことができる。登録は、例えば、無線アクセスポイントを経たモバイル通信ネットワークがそのようなネットワークに接続されながらありうる。いくつかの態様では、モジュール１３０２は登録と共にモバイルデバイスの識別子を含むことができ、識別子は、グローバル識別子（例えば、ＩＭＳＩ、ＭＡＣアドレス）、または半グローバルまたはローカルの識別子（例えば、ＩＰアドレス、ＭＳＩ、データセッション識別子など）である。さらに、システム１３００は、無線通信を通じてページンググループを得るためのモジュール１３０４を含むことができる。その上、ページンググループは、無線ＡＮ（例えば、Ｅ−ＵＴＲＡＮ）のアクセスポイントによって識別子に関連付けられうる。少なくとも１つの態様では、ページンググループは、ＤＬ信号の一部の信号時間フレームから選択されるページングオケイジョンに関連付けられうる。少なくとも１つの例では、信号時間フレームからのページングオケイジョンの選択は、定数乗された整数（例えば、２）を含む式に基づきうる。ＤＬ信号内のページンググループの位置は、式と識別子とを採用することによって直接または間接的に、そのような信号から得られうる。
【００９０】
上述されていることは、要求された主題の態様の例を含む。もちろん、要求された主題を記述している目的のためにコンポーネントまたは手順の考えられる限りの組み合わせを記述することは不可能だが、当業者は、多くのさらなる組み合わせおよび置換が可能であることを認識してもよい。したがって、開示された主題は、添付の特許請求の範囲および精神内に含まれる全てのそのような改変、修正、および変形を含むことを意図する。その上、用語“含む”“有する”または“有している”が詳細な説明かそれとも特許請求の範囲において用いられる限りは、そのような用語は、特許請求の範囲での移行的な単語として採用されるとき「具備する」が解釈されるように、用語「具備する」と同様のやり方で包含的であることを意図する。
【図１】
2010538584.tif 000003
【図２】
2010538584.tif 000004
【図３】
2010538584.tif 000005
【図４】
2010538584.tif 000006
【図５】
2010538584.tif 000007
【図６】
2010538584.tif 000008
【図７】
2010538584.tif 000009
【図８】
2010538584.tif 000010
【図９】
2010538584.tif 000011
【図１０】
2010538584.tif 000012
【図１１】
2010538584.tif 000013
【図１２】
2010538584.tif 000014
【図１３】
2010538584.tif 000015
【国際調査報告】
2010538584.tif 000016
2010538584.tif 000017